(57)【要約】【課題】箱状本体部の天面壁部の下面と袋容器の上端部との間に隙間が生じないようにして、ディスペンサーから内容液を吐出させる操作を、安定した状態で行なうことのできる袋容器用ホルダーを提供する。【解決手段】注出口部３１を天面壁部１３から突出させた状態で、差込み固定具１２を差し込んで、Ｕ字状切欠き係止開口１２ａに注出口部３１を挿入係止させる。差込み固定具１２は、上部シール接合部５２ａの高さｈ１と、天面壁部１３の厚さｔ１と、当該差込み固定具１２の厚さｔ２とを加えた高さｈが、袋容器２０の注出口部材３３の接合基盤部３２の上面から、環状張出し係止フランジ３１ａの下面までの間隔ｓ以上の高さとなるように厚さｔ２が調整されている。差込み固定具１２が天面壁部１３の上面と環状張出し係止フランジ３１ａの下面との間に差し込まれることで、上部シール接合部５２ａの上端は、天面壁部１３の内側面に当接している状態を保持する。【選択図】図４
2020070065.tif 000002
【特許請求の範囲】
【請求項１】
板状シート材料を用いて形成された箱状本体部と、差込み固定具とを含んで構成され、可撓性シート材料を用いて形成された、上端部に内容液を吐出させるディスペンサーが装着される注出口部を備える、袋容器と組み合わせて用いる袋容器用ホルダーであって、
前記袋容器の袋本体は、正面シート部と、背面シート部と、天面シート部とを含んで形成されており、天面シート部は、天面シート材を正面シート材と背面シート材との間に配して、正面シート材、背面シート材及び天面シート材の縁部分を、天面シート材の全周に亘ってシール接合することにより形成されており、これによって天面シート部の周縁部には、前記正面シート材及び前記背面シート材との上部シール接合部が、前記正面シート部及び前記背面シート部に沿うようにして立設しており、且つ前記天面シート部には、環状張出し係止フランジを備える前記注出口部を上方に突出させた状態で、注出口部材が、接合基盤部を前記天面シート部の内側面に接合させて取り付けられており、
前記箱状本体部は、前記袋容器の前記注出口部を挿通させる挿通穴を有する天面壁部と、筒状周面壁部とを備えており、
前記差込み固定具は、一辺部からＵ字形状に切り込まれたＵ字状切欠き係止開口を備えており、前記袋容器の前記注出口部を前記天面壁部の挿通穴に挿通させて、前記注出口部を前記天面壁部の上方に突出させた状態で、前記天面壁部の上面と前記環状張出し係止フランジの下面との間に前記差込み固定具を差し込んで、前記Ｕ字状切欠き係止開口に前記注出口部を挿入係止させるようになっており、
前記差込み固定具は、前記天面シート部の周縁部の前記上部シール接合部の高さと、前記天面壁部の厚さと、当該差込み固定具の厚さとを加えた高さが、前記袋容器の前記注出口部材の前記接合基盤部の上面から、前記環状張出し係止フランジの下面までの間隔以上の高さとなるように厚さが調整されており、前記差込み固定具が前記天面壁部の上面と前記環状張出し係止フランジの下面との間に差し込まれていることで、前記上部シール接合部の上端は、前記天壁部の内側面に当接している状態を保持する袋容器用ホルダー。
【請求項２】
前記天面壁部は、矩形状の平面形状を備えており、前記筒状周面壁部は、矩形状の横断面形状を備えている請求項１記載の袋容器用ホルダー。
【請求項３】
前記箱状本体部と前記差込み固定具とは、一枚の板状シート材料から形成されている請求項１又は２記載の袋容器用ホルダー。
【請求項４】
前記差込み固定具は、前記箱状本体部の前記筒状周面壁部の上辺部から下方に切り込まれた一対の切込み線によって挟まれる、帯板状回動片の上端部に連接して、前記箱状本体部と一体として設けられている請求項３項記載の袋容器用ホルダー。
【請求項５】
前記箱状本体部の前記天面壁部は、前記筒状周面壁部の上辺部に連接する内フラップと外フラップとを罫線に沿って折り曲げて、これらを重ね合わせた状態で設けられており、前記天面壁部の厚さは、重ね合わせた前記内フラップ及び前記外フラップの厚さとなっており、前記上部シール接合部の上端は、前記内フラップの内側面に当接している状態を保持する請求項１〜４のいずれか１項記載の袋容器用ホルダー。
【請求項６】
前記差込み固定具は、長円形状の開口穴が形成された板状シート片を、開口穴の長手方向の中央部分で二つ折りに折り曲げることによって、一辺部からＵ字形状に切り込まれた前記Ｕ字状切欠き係止開口を備えるように形成されている請求項１〜５のいずれか１項記載の袋容器用ホルダー。
【発明の詳細な説明】
【技術分野】
【０００１】
本発明は、袋容器用ホルダーに関し、特に、注出口部を備える袋容器と組み合わせて用いる、板状シート材料を用いて形成される袋容器用ホルダーに関する。
【背景技術】
【０００２】
近年、環境負荷の低減や省資源化等を目的として、内容液を収容する容器として、容器本体がプラスチック製やガラス製等の硬質の容器からなるものに代えて、好ましくは可撓性を有する樹脂製のシート材料を用いて形成された、袋状の容器本体（袋本体）を備える袋容器が、可撓性容器として多用されている。このような袋容器では、袋本体の上端部に設けられた注出口部を介してディスペンサーを着脱可能に取り付けたものも知られている（例えば、特許文献１参照）。ディスペンサーは、内容液を容器から汲み上げて吐出させる公知の吐出具であり、吸上げ筒部、ノズルヘッド等を備えている。ディスペンサーは、例えば固定用のキャップ部を介して、袋容器の上端部に設けられた注出口部（口首部）に着脱可能に取り付けて用いられ、着脱可能となっていることで、袋容器を交換等しながら、繰り返し使用することが可能である。
【０００３】
袋容器にディスペンサーを装着して用いる場合、袋容器の袋本体は、軟質の柔らかいシート材料等の可撓性材料を用いて形成されており、ディスペンサーのノズルヘッドへの押し下げ力を、袋本体によって安定した状態で支持させることが困難なことから、特許文献１では、袋容器本体に設けられた注出口部を、例えば底板部と、底板部から立設して設けられた立設部と、立設部の上端部から張り出して設けられた、Ｕ字状の切欠き係止部を有する張出し係止部とを備える容器ホルダーに、着脱可能に装着して、この容器ホルダーによって押し下げ力を支持させるようになっている。また、パウチ容器（袋容器）から内容液を容易に注出できるようにした容器ホルダーとして、同様に底板部と、底板部から立設して設けられた立設部と、立設部の上端部から張り出して設けられた、切欠き係止部を有する張出し係止部とを備えるホルダーも開示されている（例えば、特許文献２参照）。
【先行技術文献】
【特許文献】
【０００４】
【特許文献１】実用新案登録第３０６６８３１号公報
【特許文献２】特開２００８−２８５１７８号公報
【特許文献３】特開２００７−２０４０５９号公報
【発明の概要】
【発明が解決しようとする課題】
【０００５】
一方、特許文献１や特許文献２の容器ホルダーは、金属板を折曲げ加工したり、合成樹脂を射出成形したりして形成されるものであり、製造コストや材料コストが高くなることから、例えば板状のシート材料を用いて、簡易に且つ安価に製造することが可能な袋容器用のホルダーの開発が望まれている。例えば特許文献３には、注出口付き液体容器を構成する厚紙製の外箱（箱状本体部）と、シート状のストッパー（固定具）とからなり、シート状のストッパーによって軟包装袋の注出口部を外箱の天面部に係止して、軟包装袋を吊り下げた状態で支持して外箱の内部に収納できるようにしたホルダーが開示されている。
【０００６】
しかしながら、特許文献３の板状のシート材料を用いたホルダーによれば、外箱の天面部における注出口部を係止した部分において、吊り下げた状態の袋容器（軟包装袋）の上端部と、外箱の天面部の下面との間に上下方向の隙間が生じることで、装着された袋容器が外箱の内部で動き易くなることから、特に天面部に係止された注出口部にディスペンサーを取り付けて、内容液を吐出させる際には、内容液を吐出させる操作が不安定になり易い。
【０００７】
本発明は、袋容器が装着される箱状本体部の天面部（天面壁部）の下面と袋容器の上端部との間に隙間が生じないようにして、注出口部に取り付けられたディスペンサーから内容液を吐出させる操作を、安定した状態で行なうことのできる袋容器用ホルダーに関する。
【課題を解決するための手段】
【０００８】
本発明は、板状シート材料を用いて形成された箱状本体部と、差込み固定具とを含んで構成され、可撓性シート材料を用いて形成された、上端部に内容液を吐出させるディスペンサーが装着される注出口部を備える、袋容器と組み合わせて用いる袋容器用ホルダーであって、前記袋容器の袋本体は、正面シート部と、背面シート部と、天面シート部とを含んで形成されており、天面シート部は、天面シート材を正面シート材と背面シート材との間に配して、正面シート材、背面シート材及び天面シート材の縁部分を、天面シート材の全周に亘ってシール接合することにより形成されており、これによって天面シート部の周縁部には、前記正面シート材及び前記背面シート材との上部シール接合部が、前記正面シート部及び前記背面シート部に沿うようにして立設しており、且つ前記天面シート部には、環状張出し係止フランジを備える前記注出口部を上方に突出させた状態で、注出口部材が、接合基盤部を前記天面シート部の内側面に接合させて取り付けられており、前記箱状本体部は、前記袋容器の前記注出口部を挿通させる挿通穴を有する天面壁部と、筒状周面壁部とを備えており、  前記差込み固定具は、一辺部からＵ字形状に切り込まれたＵ字状切欠き係止開口を備えており、前記袋容器の前記注出口部を前記天面壁部の挿通穴に挿通させて、前記注出口部を前記天面壁部の上方に突出させた状態で、前記天面壁部の上面と前記環状張出し係止フランジの下面との間に前記差込み固定具を差し込んで、前記Ｕ字状切欠き係止開口に前記注出口部を挿入係止させるようになっており、前記差込み固定具は、前記天面シート部の周縁部の前記上部シール接合部の高さと、前記天面壁部の厚さと、当該差込み固定具の厚さとを加えた高さが、前記袋容器の前記注出口部材の前記接合基盤部の上面から、前記環状張出し係止フランジの下面までの間隔以上の高さとなるように厚さが調整されており、前記差込み固定具が前記天面壁部の上面と前記環状張出し係止フランジの下面との間に差し込まれていることで、前記上部シール接合部の上端は、前記天壁部の内側面に当接している状態を保持する袋容器用ホルダーを提供することにより、上記目的を達成したものである。
【発明の効果】
【０００９】
本発明の袋容器用ホルダーによれば、袋容器が装着される箱状本体部の天面壁部の下面と袋容器の上端部との間に隙間が生じないようにして、注出口部に取り付けられたディスペンサーから内容液を吐出させる操作を、安定した状態で行なうことができる。
【図面の簡単な説明】
【００１０】
【図１】本発明の好ましい一実施形態に係る袋容器用ホルダーの構成を説明する略示斜視図である。
【図２】袋容器用ホルダーに装着された袋容器の注出口部にディスペンサーを取り付けた状態の略示斜視図である。
【図３】（ａ）は、袋容器用ホルダーと組み合わせて用いる袋容器の斜視図、（ｂ）は、注出口部材の斜視図である。
【図４】本発明の好ましい一実施形態に係る袋容器用ホルダーの構成の要部を説明する、キャップを取り外した状態の図１のＡ−Ａに沿った略示断面図である。
【図５】本発明の好ましい一実施形態に係る袋容器用ホルダーを形成する板状シート材料の平面図である。
【図６】板状シート片を二つ折に折り曲げることによって形成される差込み固定具の説明図である。
【図７】他の実施形態の袋容器用ホルダーの略示斜視図である。
【図８】他の実施形態の袋容器用ホルダーを形成する板状シート材料の平面図である。
【図９】（ａ）、（ｂ）は、箱状本体部の他の形態を例示する略示斜視図である。
【発明を実施するための形態】
【００１１】
図１に示す本発明の好ましい一実施形態に係る袋容器用ホルダー１０は、好ましくは可撓性を備える軟質のシート材料を用いて形成された袋容器２０（図３参照）を装着して、袋容器２０と組み合わせて用いられる。袋容器２０は、内容液を収容する袋本体２１の上端部を形成する天面シート部２４に、ディスペンサー（吐出具）として例えばポンプディスペンサー３０が取り付けられた、ポンプディスペンサー付きの容器として用いられる（図２参照）。本実施形態の袋容器用ホルダー１０は、好ましくは一枚の板状シート材料４０（図５参照）を用いて、簡易に且つ安価に形成することができると共に、天面シート部２４から突出して設けられた注出口部３１に装着された、ポンプディスペンサー３０によって内容液を吐出させる操作を、安定した状態で行えるようにする機能を備えている。
【００１２】
そして、本実施形態の袋容器用ホルダー１０は、板状シート材料４０を用いて形成された箱状本体部１１と、差込み固定具１２とを含んで構成され、可撓性シート材料を用いて形成された、上端部に内容液を吐出させるディスペンサー３０が装着される注出口部３１を備える、袋容器２０（図３参照）と組み合わせて用いるホルダーである。袋容器２０の袋本体２１は、図３に示すように、正面シート部２２と、背面シート部２３と、天面シート部２４とを含んで形成されており、天面シート部２４は、天面シート材２４ａを正面シート材２２ａと背面シート材２３ａとの間に配して、正面シート材２２ａ、背面シート材２３ａ及び天面シート材２４ａの縁部分を、天面シート材２４ａの全周に亘ってシール接合することにより形成されている。これによって天面シート部２４の周縁部には、正面シート材２２ａ及び背面シート材２３ａとの上部シール接合部５２ａが、正面シート部２２及び背面シート部２３に沿うようにして立設している。また天面シート部２４には、環状張出し係止フランジ３１ａを備える注出口部３１を上方に突出させた状態で、注出口部材３３が、接合基盤部３２を天面シート部２４の内側面に接合させて取り付けられている（図４参照）。
【００１３】
箱状本体部１１は、図１及び図２に示すように、袋容器２０の注出口部３１を挿通させる挿通穴１３ａを有する、好ましくは矩形状（正方形状を含む）の平面形状の天面壁部１３と、好ましくは矩形状（正方形状を含む）の横断面形状の筒状周面壁部１４とを備えている。差込み固定具１２は、一辺部からＵ字形状に切り込まれたＵ字状切欠き係止開口１２ａを備えており、袋容器２０の注出口部３１を天面壁部１３の挿通穴１３ａに挿通させて、注出口部３１を天面壁部１３の上方に突出させた状態で、天面壁部１３の上面と環状張出し係止フランジ３１ａの下面との間に差込み固定具１２を差し込んで（図１、図４参照）、Ｕ字状切欠き係止開口１２ａに注出口部３１を挿入係止させるようになっている。
【００１４】
図４に示すように、差込み固定具１２は、天面シート部２４の周縁部の上部シール接合部５２ａの高さｈ１と、天面壁部１３の厚さｔ１と、当該差込み固定具１２の厚さｔ２とを加えた高さｈが、袋容器２０の注出口部材３３の接合基盤部３２の上面から、環状張出し係止フランジ３１ａの下面までの間隔ｓ以上の高さとなるように厚さｔ２が調整されており、差込み固定具１２が天面壁部１３の上面と環状張出し係止フランジ３１ａの下面との間に差し込まれていることで、上部シール接合部５２ａの上端は、天面壁部１３の好ましくは内フラップ１３ｃによる内側面に当接している状態を保持するようになっている。
【００１５】
また、本実施形態では、箱状本体部１１の天面壁部１３は、筒状周面壁部１４の上辺部に連接する内フラップ１３ｃと外フラップ１３ｂとを横方向罫線４２（図５参照）に沿って折り曲げて、これらを重ね合わせた状態で設けられており、天面壁部１３の厚さｔ１は、重ね合わせた内フラップ１３ｃ及び外フラップ１３ｂの厚さとなっており、上部シール接合部５２ａの上端は、上述のように、内フラップ１３ｃの内側面に当接している状態を保持するようになっている。
【００１６】
さらに、本実施形態では、差込み固定具１２は、図６に示すように、長円形状の開口穴１２ｂが形成された固定具用板状シート片１２Ａを、開口穴１２ｂの長手方向の中央部分で二つ折に折り曲げることによって、一辺部からＵ字形状に切り込まれたＵ字状切欠き係止開口１２ａを備えるように形成されている。
【００１７】
本実施形態では、袋容器用ホルダー１０と組み合わせて用いる袋容器２０は、図３（ａ）に示すように、可撓性を備える軟質の柔らかいシート材料を用いて形成された袋本体２１と、袋本体２１の上端部に設けられた注出口部（口首部）３１とを含んで構成されている。袋容器２０の上端部は、袋本体２１の天面シート材２４ａによる天面シート部２４によって形成されている。注出口部３１は、袋本体２１の天面シート部２４に、注出口部材３３（図３（ｂ）参照）を取り付けることによって、袋容器２０の上端部に設けられている。注出口部３１には、キャップ部材３４によって閉塞されている状態から、キャップ部材３４と交換して、ポンプディスペンサー３０を装着することができる。これによって、袋本体２１の天面シート部２４による袋容器２０の上端部に、注出口部３１を介して、ポンプディスペンサー３０を取り付けることができる（図２参照）。
【００１８】
袋本体２１は、シート材として、例えば、ＰＰ（ポリプロピレン）、ＰＥ（ポリエチレン）などのポリオレフィン樹脂、ＰＥＴ（ポリエチレンテレフタレート）などのポリエステル樹脂、ポリアミド樹脂、ナイロン樹脂等からなる合成樹脂製のフィルム材シート、合成樹脂製のフィルムとアルミニウム等の金属との積層体からなるフィルム材シート、或いは合成樹脂製のフィルムにアルミニウム等の金属を蒸着したフィルム材シート等、又はこれらの組み合わせからなる単層、若しくは多層の積層シートを用いて形成されているが、これらに制限されるものではない。本実施形態では、公知の各種の方法により、天面シート材２４ａと正面シート材２２ａと背面シート材２３ａと底面シート材（図示せず）とを接合することによって、天面シート材２４ａによる天面シート部２４と、正面シート材２２ａによる正面シート部２２と、背面シート材２３ａによる背面シート部２３と、底面シート材による底面シート部（図示せず）とを含む、内容液が収容された状態で、有底及び有天の縦長筒状の形状となる袋本体２１が形成される。
【００１９】
すなわち、袋本体２１は、図３（ａ）に示すように、正面シート材２２ａの両側の側縁部分と背面シート材２３ａの両側の側縁部分とを互いに側部シール接合部５２ｂとしてシール接合し、これらの上端部分においては、天面シート材２４ａを、正面シート材２２ａと背面シート材２３ａとの間に配し、これらの縁部分を上部シール接合部５２ａとして天面シート材２４ａの全周に亘ってシール接合し、これらの下端部分においては、底面シート材を、正面シート材２２ａと背面シート材２３ａとの間に配し、これらの縁部分を下部シール接合部５２ｃとして底面シート材の全周に亘ってシール接合することによって、袋状に形成されている。
【００２０】
また、本実施形態では、正面シート材２２ａ及び背面シート材２３ａの上端部分は、両側の角部分が斜めに切り取られた形状を備えており、また天面シート材２４ａは、縁部分がこれらに沿った形状を備えるように形成されている。これによって、これらの縁部分がシール接合されることにより、上部シール接合部５２ａは、中央部分を挟んだ両側部分が斜め下方に延設する形状を備えると共に、天面シート材２４ａにより形成された天面シート部２４は、注出口部材３３が接合される中央部分の領域を挟んだ両側の部分が、斜め下方に延設する三角形状の傾斜面部となっている。
【００２１】
さらに、本実施形態では、天面シート材２４ａにより形成された天面シート部２４の中央部分の領域には、天面シート部２４に形成された挿通開口を介して注出口部３１を上方に突出させた状態で、注出口部材３３が、接合基盤部３２を天面シート部２４の内側面に接合させて取り付けられている。また天面シート材２４ａは、縁部分を上方に折り曲げるようにして正面シート材２２ａと背面シート材２３ａとの間に配されて、縁部分がシール接合されるので、正面シート材２２ａが広げられることにより形成された天面シート部２４の周縁部には、正面シート材２２ａ及び背面面シート材２３ａとの上部シール接合部５２ａが、正面シート材２２ａ及び背面面シート材２３ａの面に沿うようにして立設している。
【００２２】
袋本体２１の天面シート材２４ａによる天面シート部２４に取り付けられる注出口部材３３は、図３（ｂ）に示すように、例えばＰＥ（ポリエチレン）、ＰＰ（ポリプロピレン）等のポリオレフィン樹脂、ＰＥＴ（ポリエチレンテレフタレート）等のポリエステル樹脂、ポリアミド樹脂、ポリ塩化ビニル、ポリスチレン、ポリ乳酸等の合成樹脂からなる公知の射出成形品であって、円筒形状の注出口部（口首部）３１と、注出口部３１の下端から外方に向かって平坦に延出する、好ましくは矩形状（正方形状を含む）の平面形状を備える接合基盤部３２とを有している。注出口部材３３は、上述のように、注出口部３１を、天面シート部２４に形成された挿通開口に挿通させると共に、天面シート部２４の内側面に接合基盤部３２の上面を接合することによって、袋本体２１に一体として取り付けられる。
【００２３】
注出口部３１の外周部分には、外側に円環状に張り出して、環状張出し係止フランジ３１ａと、補助環状張出しフランジ３１ｂとが、上下に間隔をおいて二段に設けられている。これらの二段の張出しフランジ３１ａ，３１ｂの間の部分の注出口部３１は、円形断面における、正方形状の接合基盤部３２の各辺部に面した部分が直線状に面取りされた、略八角形の横断面形状を備える挿入スライド部３１ｃとなっている。注出口部３１における上段の環状張出し係止フランジ３１ａよりも上方の外周部分には、雄ネジ凸条３１ｓが設けられている。この雄ネジ凸条３１ｓに、キャップ部材３４や、ポンプディスペンサー３０の固定用キャップ部３０ａ（図２参照）を着脱交換可能に螺着することにより、キャップ部材３４によって注出口部３１の上端開口を閉塞したり、ポンプディスペンサー３０を、注出口部３１を介して袋本体２１の天面シート部２４に取り付けたりできるようになっている。
【００２４】
ポンプディスペンサー３０は、例えば実開平６−３９７５２号公報に記載のポンプ式吐出容器に使用したものと同様の構成を備える、ポンプ式のディスペンサーを用いることができる。ポンプディスペンサー３０は、固定用キャップ部３０ａ、ポンプハウジング（図示せず）、吸上げ筒部（図示せず）、ノズルヘッド３０ｂ等を備えている。
【００２５】
そして、本実施形態では、袋容器用ホルダー１０を構成する箱状本体部１１と差込み固定具１２とは、図５に示すように、好ましくは一枚の板状シート材料４０から形成されるようになっている。ここで、板状シート材料４０は、好ましくは、側縁部を把持して片持ち状に水平に延設させた場合でも、折れ曲がることなく、水平に延設した状態や滑らかに湾曲した状態を容易に保持できる程度の保形剛性及び弾性を備えると共に、手の力で容易に折り曲げることができる程度の変形性を備える薄板状のシート部材である。板状シート材料４０は、合成樹脂製の薄板状のシート材料（例えば、低発泡ポリプロピレン、ポリエチレンテレフタレート等によるプラシート）や、ダンボール、マイクロフルート、厚紙等による紙製の薄板状のシート材料や、ブラスチックダンボール等を、所定の平面形状を備えるように成形したり、打ち抜いて裁断したりすることによって、容易に得ることができる。
【００２６】
本実施形態では、板状シート材料４０は、例えば縦横３００〜４００ｍｍ程度の大きさの、矩形の平面形状を備えており、この板状シート材料４０から打ち抜いて裁断することによって、箱状本体部１１の展開形状を備える箱用板状シート片１１Ａと、二つ折りされる差込み固定具１２の展開形状を備える固定具用板状シート片１２Ａとを得ることができる。箱用板状シート片１１Ａを用いて箱状本体部１１が、固定具用板状シート片１２Ａを用いて差込み固定具１２が各々形成される。
【００２７】
箱用板状シート片１１Ａでは、図５に示す展開形状の右端部分に、筒状周面壁部１４を形成する縦長矩形状の第１側面板１４ａが配置されており、第１側面板１４ａの左側部分には、縦方向罫線４１を介して、筒状周面壁部１４を形成する縦長矩形状の第２側面板１４ｂが連接している。第２側面板１４ｂの左側部分には、縦方向罫線４１を介して、筒状周面壁部１４を形成する縦長矩形状の第３側面板１４ｃが連接しており、第３側面板１４ｃの左側部分には、縦方向罫線４１を介して、筒状周面壁部１４を形成する縦長矩形状の第４側面板１４ｄが連接している。第４側面板１４ｄの左側部分には、縦方向罫線４１を介して、細長い縦長の接合片１４ｅが連接している。
【００２８】
また、箱用板状シート片１１Ａでは、第１側面板１４ａ及び第３側面板１４ｃの上方部分に、横方向罫線４２を介して、天面壁部１３を形成する内フラップ１３ｃが各々連接している。第２側面板１４ｂの上方部分に、横方向罫線４２を介して、内フラップ１３ｃと共に天面壁部１３を形成する、外フラップ１３ｂが連接している。外フラップ１３ｂの上方部分には、両端部分が切込み部４２ａとなっている横方向罫線４２’を介して、差込み係止フラップ１３ｄが連接している。差込み係止フラップ１３ｄは、箱状本体部１１が組み立てられた際に、第２側面板１４ｂと対向配置される第４側面板１４ｄの上端部内側面に沿って差し込まれる。外フラップ１３ｂの中央部分には、天面壁部１３の挿通穴１３ａとなる円形の開口部が形成されている。
【００２９】
固定具用板状シート片１２Ａは、箱用板状シート片１１Ａとは個別のものとして、板状シート材料４０から裁断されて形成されており、横長矩形状の平面形状を備えている。固定具用板状シート片１２Ａの中央部分には、横長方向を長軸方向とする長円形状の開口穴１２ｂが形成されている。固定具用板状シート片１２Ａは、開口穴１２ｂの長手方向である長軸方向の中央部分で二つ折に折り曲げることによって、図６に示すように、一辺部からＵ字形状に切り込まれたＵ字状切欠き係止開口１２ａを備える、差込み固定具１２を形成する。
【００３０】
本実施形態では、差込み固定具１２の一辺部からＵ字形状に切り込まれたＵ字状切欠き係止開口１２ａは、一辺部側の一対の直線状部分の間の間隔が、上述の注出口部材３３による注出口部３１の二段の張出しフランジ３１ａ，３１ｂの間の部分の挿入スライド部３１ｃにおける、略八角形の横断面形状の背向する一対の辺部間の幅と略同様の、これよりも僅かに大きな間隔となるように形成されている。これによって、差込み固定具１２を天面壁部１３の上面と環状張出し係止フランジ３１ａの下面との間に差し込む際に、Ｕ字状切欠き係止開口１２ａの一対の直線状部分を、挿入スライド部３１ｃの背向する一対の辺部に沿わせるようにして位置決めしながら、差込み固定具１２を、スムーズに差し込むことが可能になる。またこれによって、Ｕ字状切欠き係止開口１２ａの周縁部分の上面を、環状張出し係止フランジ３１ａの下面に、下方から確実に密着させて、Ｕ字状切欠き係止開口１２ａに注出口部３１を、安定した状態で挿入係止させることが可能になる。
【００３１】
また差込み固定具１２が、固定具用板状シート片１２Ａを二つ折りにして形成されていることにより、その強度が向上すると共に、差込み固定具１２を環状張出し係止フランジ３１ａの下方の狭い隙間に挿入しながら差し込む操作を、鋭角に折れ曲がった折り目の部分の側から、よりスムーズに、且つ容易に行うことが可能になる。さらに、差込み固定具１２が、固定具用板状シート片１２Ａを二つ折りにして形成されていることにより、天面シート部２４の周縁部のシール接合部５２ａの高さｈ１と、天面壁部１３の厚さｔ1と、当該差込み固定具１２の厚さｔ2とを加えた高さｈが、袋容器２０の注出口部材３３の接合基盤部３２の上面から、環状張出し係止フランジ３１ａの下面までの間隔ｓ以上の高さとなるようにするための、差込み固定具１２の厚さｔ2の調整を、より容易に行うことが可能になる。さらにまた、例えば環状張出し係止フランジ３１ａと補助環状張出しフランジ３１ｂとの間隔が差込み固定具１２の厚さｔ2よりも相当程度広い場合や、補助環状張出しフランジ３１ｂが無い場合に、二つ折りにした差込み固定具１２が、天面壁部１３の上面と環状張出し係止フランジ３１ａの下面との間に差し込まれた際に、折れ曲がった状態から元の形状に戻ろうとする付勢力によって、上部シール接合部５２ａの上端を、当該上部シール接合部５２ａを弾性変形させるようにしながら、より強固に、天面壁部１３の内側面に当接させることが可能になる。
【００３２】
本実施形態では、箱用板状シート片１１Ａから箱状本体部１１を形成するには、第１側面板１４ａと、第２側面板１４ｂと、第３側面板１４ｃと、第４側面板１４ｄと、接合片１４ｅとを、縦方向罫線４１を介して互いに直角になるように折り曲げると共に、接合片１４ｅを、第１側面板１４ａの、第２側面板１４ｂとは反対側の側縁部の内側面に、接着剤等を介して接合することにより、矩形状の横断面形状を備える筒状周面壁部１４を形成する。しかる後に、第１側面板１４ａ及び第３側面板１４ｃの上方部分に連接する内フラップ１３ｃを、横方向罫線４２を介して内側に直角に折り曲げ、さらに第２側面板１４ｂの上方部分に連接する外フラップ１３ｂを、横方向罫線４２を介して内フラップ１３ｃの上方に折り重ねるようにして直角に折り曲げると共に、差込み係止フラップ１３ｄを横方向罫線４２’を介して折り曲げて、第４側面板１４ｄの上端部内側面に沿って差し込むことにより、中央部分に円形の挿通穴１３ａが開口する天面壁部１３を形成する。これらによって、底面部が開口面となった箱状本体部１１が容易に形成される。
【００３３】
また、このようにして形成される箱状本体部１１に袋容器２０を装着して、袋容器用ホルダー１０として機能させるには、例えば筒状周面壁部１４を形成した後に、筒状周面壁部１４の上方から、これの内部に袋容器２０の袋本体２１の全体を収納すると共に、外フラップ１３ｂの円形の開口部に袋容器２０の注出口部３１を挿通し、挿通穴１３ａを介して注出口部３１を上方に突出させた状態で、天面壁部１３を形成する。また、例えば箱状本体部１１を組み立てた後に、開口面となった底面部から箱状本体部１１の内部に袋容器２０を上端部側から装着することにより、挿通穴１３ａを介して注出口部３１を天面壁部１３の上方に突出させた状態とすることもできる。しかる後に、天面壁部１３から突出する注出口部３１の環状張出し係止フランジ３１ａの下面と、内フラップ１３ｃと外フラップ１３ｂとによる天面壁部１３の上面との間に、差込み固定具１２を差し込んで、Ｕ字状切欠き係止開口１２ａに注出口部３１を挿入係止させる。これによって、袋容器２０と組み合わせて用いられる、ポンプディスペンサー３０のノズルヘッド３０ｂへの押し下げ力を支持することが可能な強度を備える、本実施形態の袋容器用ホルダー１０が形成される（図２参照）。
【００３４】
そして、上述の構成を備える本実施形態の袋容器用ホルダー１０によれば、袋容器２０が装着される箱状本体部１１の天面壁部１３の下面と袋容器２０の上端部との間に隙間が生じないようにして、注出口部３１に取り付けられたポンプディスペンサー３０から内容液を吐出させる操作を、安定した状態で行なうことが可能になる。
【００３５】
すなわち、本実施形態では、袋容器２０の袋本体２１の天面シート部２４の周縁部には、上部シール接合部５２ａが、正面シート部２２及び背面シート部２３に沿うようにして立設しており、差込み固定具１２は、箱状本体部１１の天面壁部１３の上面と注出口部３１の環状張出し係止フランジ３１ａの下面との間に当該差込み固定具１２を差し込んで、Ｕ字状切欠き係止開口１２ａに注出口部３１を挿入係止させる際に、天面シート部２４の周縁部の上部シール接合部５２ａの高さｈ１と、天面壁部１３の厚さｔ1と、当該差込み固定具１２の厚さｔ2とを加えた高さｈが、袋容器２０の注出口部材３３の接合基盤部３２の上面から、環状張出し係止フランジ３１ａの下面までの間隔ｓ以上の高さとなるように、その厚さｔ2が調整されるようになっている。
【００３６】
したがって、本実施形態によれば、差込み固定具１２が、箱状本体部１１の天面壁部１３の上面と注出口部３１の環状張出し係止フランジ３１ａの下面との間に差し込まれていることにより、上部シール接合部５２ａの上端は、当該上部シール接合部５２ａを適宜弾性変形させながら、天面壁部１３の内フラップ１３ｃによる内側面（下面）に当接している状態を保持するようになっている。これによって、箱状本体部１１の天面壁部１３における注出口部３１を係止した部分において、袋本体２１の上部シール接合部５２ａによる上端部と、天面壁部１３の下面との間に隙間が生じるのを回避して、装着された袋容器１１を、ガタつかせることなく、注出口部３１の環状張出し係止フランジ３１ａと上部シール接合部５２ａによる上端部との間に天面壁部１３を挟みつけた状態で、しっかりと天面壁部１３に係止することが可能になる。これによって、注出口部３１に取り付けられたポンプディスペンサー３０から内容液を吐出させる場合でも、ノズルヘッド３０ｂを押し下げて内容液を吐出させる操作を、ガタつきを生じさせることなく、安定した状態で行えるようにすることが可能になる。
【００３７】
また、本実施形態の袋容器用ホルダー１０は、一枚の板状シート材料４０から、消費者が容易に箱状本体部１１や差込み固定具１２を形成して、簡単に組み立てることができると共に、平坦な板状シート材料４０は、複数枚積み重ねて簡素に包装して流通させることができるので、輸送コストを効果的に低減することが可能になる。
【００３８】
図７は、本発明の好ましい他の実施形態に係る袋容器用ホルダー１０’を例示するものである。図７に示す他の実施形態の袋容器用ホルダー１０’では、差込み固定具１２’の形態が相違していること以外は、上記実施形態の袋容器用ホルダー１０と略同様の構成を備えている。なお、図７に示す他の実施形態の袋容器用ホルダー１０’に関して、上記実施形態の袋容器用ホルダー１０と異なる構成部分について主として説明し、同様の構成部分については同一の符号を付して説明を省略している。特に言及しない構成部分については、上記実施形態の袋容器用ホルダー１０に関する説明が適宜適用される。
【００３９】
図７に示す他の実施形態の袋容器用ホルダー１０’では、差込み固定具１２’は、箱状本体部１１の筒状周面壁部１４の上辺部から下方に切り込まれた一対の切込み線１５によって挟まれる、帯板状回動片１６の上端部に連接して、箱状本体部１１と一体として設けられている。
【００４０】
すなわち、袋容器用ホルダー１０’を形成するための図８に示す板状シート片１１Ｂは、図５に示す箱用板状シート片１１Ａとは異なり、第４側面板１４ｄの上辺部から、所定の間隔をおいて平行に延設する一対の切込み線１５が、下方に向けて切り込まれて形成されており、これらの一対の切込み線１５の間の部分が、帯板状回動片１６となっている。帯板状回動片１６の下端部は、横方向罫線４２ｂを介して、折り曲げ可能に第４側面板１４ｄの縦長方向の中間部分に接続しており、横方向罫線４２ｂを回転軸として回転できるようになっている。帯板状回動片１６の上端部には、図５に示す固定具用板状シート片１２Ａと同様の形状備える、長円形状の開口穴１２ｂが形成されたシート片１２ｃが、横方向罫線４２”を介して連接している。このシート片１２ｃを、開口穴１２ｂの長手方向の中央部分で二つ折に折り曲げることによって、一辺部からＵ字形状に切り込まれたＵ字状切欠き係止開口１２ａを備える、差込み固定具１２’が形成されるようになっている。
【００４１】
図７に示す他の実施形態の袋容器用ホルダー１０’によっても、横方向罫線４２ｂを回転軸として帯板状回動片１６を回転させるようにしながら、Ｕ字状切欠き係止開口１２ａを備える差込み固定具１２’を、天面壁部１３の上面と、袋容器２０の注出口部３１の吐環状張出し係止フランジ３１ａの下面との間に差し込んで、Ｕ字状切欠き係止開口１２ａに注出口部３１を挿入係止させることにより、上記実施形態の袋容器用ホルダー１０と同様の作用効果が奏される。また他の実施形態の袋容器用ホルダー１０’によれば、箱状本体部１１と差込み固定具１２’とが一体として形成されていることにより、差込み固定具１２’が紛失するのを回避することが可能になる。
【００４２】
なお、本発明は上記の各実施形態に限定されることなく種々の変更が可能である。例えば、箱状本体部と差込み固定具とは、一枚の板状シート材料から形成されている必要は必ずしも無く、別々の板状シート材料から形成することもできる。箱状本体部の天面壁部は、内フラップと外フラップと折り重ねて形成されている必要は必ずしも無く、袋容器の上部シール接合部の上端は、外フラップの内側面を天面壁部の内側面として当接していても良い。差込み固定具は、板状シート片を二つ折にして形成される必要は必ずしもなく、一枚の板状シート片として形成することもできる。
【００４３】
箱状本体部の天面壁部や筒状周面壁部は、矩形状の平面形状や矩形状の横断面形状を備えている必要は必ずしもなく、六角形などの多角形状や、その他の種々の平面形状や横断面形状を備えていても良い。図９（ａ）、（ｂ）に示すように、横方向罫線の形状を工夫することにより、箱状本体部の意匠性を向上させることもできる。差込み固定具は、箱状本体部に装着された袋容器が様々な方向を向いていて、差込み固定具を箱状本体部に対して様々な方向から差し込む必要がある場合でも、天面壁部の輪郭形状からはみ出さない形状となるように、形成されていることが好ましい。
【符号の説明】
【００４４】
１０，１０’  袋容器用ホルダー
１１  箱状本体部
１１Ａ  箱用板状シート片
１１Ｂ  板状シート片
１２，１２’  差込み固定具
１２ａ  Ｕ字状切欠き係止開口
１２ｂ  開口穴
１２ｃ  シート片
１２Ａ  固定具用板状シート片
１３  天面壁部
１３ａ  挿通穴
１３ｂ  外フラップ
１３ｃ  内フラップ
１３ｄ  差込み係止フラップ
１４  筒状周面壁部
１４ａ  第１側面板
１４ｂ  第２側面板
１４ｃ  第３側面板
１４ｄ  第４側面板
１４ｅ  接合片
１５  切込み線
１６  帯板状回動片
２０  袋容器
２１  袋本体
２２  正面シート部
２２ａ  正面シート材
２３  背面シート部
２３ａ  背面シート材
２４  天面シート部
２４ａ  天面シート材
３０  ポンプディスペンサー
３１  注出口部
３１ａ  環状張出し係止フランジ
３１ｂ  補助環状張出しフランジ
３１ｃ  挿入スライド部
３２  接合基盤部
３３  注出口部材
３４  キャップ部材
４０  板状シート材料
４１  縦方向罫線
４２，４２’，４２”，４２ｂ  横方向罫線
５２ａ  上部シール接合部
５２ｂ  側部シール接合部
５２ｃ  下部シール接合部
ｈ    上部シール接合部の高さと、天面壁部の厚さと、差込み固定具の厚さとを加えた高さ
ｈ１  上部シール接合部の高さ
ｔ１  天面壁部の厚さ
ｔ２  差込み固定具の厚さ
ｓ    注出口部材の接合基盤部の上面から、環状張出し係止フランジの下面までの間隔
【図１】
2020070065.tif 000003
【図２】
2020070065.tif 000004
【図３】
2020070065.tif 000005
【図４】
2020070065.tif 000006
【図５】
2020070065.tif 000007
【図６】
2020070065.tif 000008
【図７】
2020070065.tif 000009
【図８】
2020070065.tif 000010
【図９】
2020070065.tif 000011